(57)【要約】【課題】多数の商品包装体をまとめて陳列でき、商品包装体が離脱落下しにくく、商品包装体の着脱が、繰り返し、まとめて簡単に行うことができ、環境負荷を低減することのできる商品包装体陳列台シートを提供する。【解決手段】厚手の合成樹脂製シートに３〜２０個設けられた商品保持片が、テープ状の吊下部と凹部を有する略ハート型形状の係止部からなり、吊下部の上端部が商品包装体陳列台シート本体と連結し、吊下部の下端部が係止部と連結し、係止部が凹部内側の直線状輪郭、凸状湾曲輪郭及び係止部最下端に至る湾曲輪郭によって形成され、直線状輪郭の長さが吊下部の幅の１.０〜１.６倍、係止部の最大幅が吊下部の幅の２.５〜３.５倍、係止部の最大幅が商品包装体の吊下穴の直径の１.５〜２.２倍、吊下部の幅が商品包装体の吊下穴の直径の０.４〜０.９５倍である商品保持片が設けられた商品包装体陳列台シート。【選択図】図１
2005080995.tif 000002
【特許請求の範囲】
【請求項１】
厚手の合成樹脂製シートの所定の位置に、商品保持片の形状に沿って切り込むことにより３〜２０個の商品保持片が設けられ、該商品保持片に略丸型の吊下穴を有する商品包装体を取付ける商品包装体陳列台シートであって、該商品保持片Ａがテープ状の吊下部Ｂと上部中央に該吊下部Ｂの先端部が嵌合する凹部を有する略ハート型形状の係止部Ｃからなり、該吊下部Ｂの上端部Ｄが前記商品包装体陳列台シート本体と連結し、該吊下部Ｂの下端部Ｅに係止部Ｃが延設されてなり、該係止部Ｃが、該係止部Ｃの凹部内側の左右の直線状輪郭１、１'、該直線状輪郭１、１'の上端から上方に湾曲して左右の湾曲輪郭３、３'に至る左右の凸状湾曲輪郭２、２'及び凸状湾曲輪郭２、２'の側端から係止部Ｃの下端に至る左右の湾曲輪郭３、３'によって形成され、前記直線状輪郭１、１'の長さが吊下部Ｂの幅の１.０〜１.６倍であり、係止部Ｃの最大幅が吊下部Ｂの幅の２.５〜３.５倍であり、係止部Ｃの最大幅が商品包装体の吊下穴の直径の１.５〜２.２倍であり、吊下部Ｂの幅が商品包装体の吊下穴の直径の０.４〜０.９５倍である商品保持片が設けられてなることを特徴とする商品包装体陳列台シート。
【請求項２】
吊下部Ｂの切込線が吊下部Ｂの上端部Ｄから左右外側に延長されて、上方に湾曲して凸状湾曲状の吊下部延長切込線４、４'を形成してなることを特徴とする請求項１記載の商品包装体陳列台シート。
【請求項３】
厚手の合成樹脂製シートの所定の位置に、商品保持片の形状に沿って切り込むことにより３〜２０個の商品保持片が設けられ、該商品保持片にトンボ型の吊下穴を有する商品包装体を取付ける商品包装体陳列台シートであって、該商品保持片Ａがテープ状の吊下部Ｂと上部中央に該吊下部Ｂの先端部が嵌合する凹部を有する略ハート型形状の係止部Ｃからなり、該吊下部Ｂの上端部Ｄが前記商品包装体陳列台シート本体と連結し、該吊下部Ｂの下端部Ｅに係止部Ｃが延設されてなり、該係止部Ｃが、該係止部Ｃの凹部内側の左右の直線状輪郭１、１'、該直線状輪郭１、１'の上端から上方に湾曲して左右の湾曲輪郭３、３'に至る左右の凸状湾曲輪郭２、２'及び凸状湾曲輪郭２、２'の側端から係止部Ｃの下端に至る左右の湾曲輪郭３、３'によって形成され、前記直線状輪郭１、１'の長さが吊下部Ｂの幅の１.０〜１.６倍であり、吊下部Ｂの幅がトンボ穴の中央半円弧部の直径の０.５〜１.０倍であり、係止部Ｃの最大幅がトンボ穴の幅の０.７〜１.０倍であることを特徴とする商品包装体陳列台シート。
【請求項４】
係止部Ｃが、その先端の中央にミシン目線又は切込線を有することを特徴とする請求項１、２又は３記載の商品包装体陳列台シート。
【発明の詳細な説明】
【技術分野】
【０００１】
本発明は、商品包装体陳列台シートに関する。
さらに詳しくは、本発明は店頭陳列が容易であり、輸送中又は陳列時に商品が離脱落下しにくく、しかも個別商品包装体の取り外しが容易であり、かつ、商品包装体の補充が陳列場所において簡単に行うことのできる商品包装体陳列台シートに関する。
【背景技術】
【０００２】
従来から文房具、電気部品、小物衣料、化粧品、雑貨など多くの商品が吊下穴あき包装袋に収納されて店頭に陳列されている。その多くが突起状のフックに、商品包装体に設けた吊下穴を通して商品を重ねて多数吊り下げる方式であり、この方式では輸送中又は陳列時に商品が簡単に離脱落下する欠点がある他、突起状のフックに触れて衣服を損傷したり怪我をする危険もある。
この欠点を改良するために、吊下台紙に商品包装体吊下フックを切り込み設置し、商品包装体の吊り下げ時には、このフックを引き出して吊り下げる方法が提案されている。例えば、特開平９−２９９２０２号公報では、前記フックの肩部が中心線に対して直角に外側に設けられた商品包装体吊下フックを切り込んだ商品包装体吊下台紙が開示されている。また、実開昭６２−９５６５２号公報では、前記フックの肩部が中心線に対して直角よりやや鋭角で外側に設けられた商品包装体吊下台紙が開示されている。さらに、実開昭６３−５０２６０号公報では、前記フックが矩形状であって、その先端部を矩形状の商品包装体の吊下げ袋穴より幅広にした展示物の取り付け構造が開示されている。しかしながら、これらの方式では、輸送中又は陳列時の動揺に際して商品包装体が離脱落下しやすい欠点がある。また特開平９−２９４６５７号公報では、商品包装体吊下フックの切り込み部を延伸して、フックの先端部を曲げやすくし、これにより商品袋穴へのフックの挿入と取り外しを容易にするものが提案されているが、商品包装体の吊下げ袋穴へフックが噛み込むように固定できるものではない。また、この方式では、商品包装体の取り外しはフックを折り曲げる必要があり、無理に引っ張って取り外すとフックを破損し再使用はできない。
【特許文献１】特開平９−２９９２０２号公報
【特許文献２】実開昭６２−９５６５２号公報
【特許文献３】実開昭６３−５０２６０号公報
【特許文献４】特開平９−２９４６５７号公報
【発明の開示】
【発明が解決しようとする課題】
【０００３】
本発明は、多数の商品包装体をまとめて店頭に陳列でき、輸送中又は陳列時に商品包装体が離脱落下しにくく、しかも個別商品包装体の着脱が容易であり、かつ、商品補充が陳列場所において、繰り返し、まとめて簡単に行うことができ、製作及び使用済み廃却に当って環境負荷を低減することのできる商品包装体陳列台シートを提供することを目的としてなされたものである。
【課題を解決するための手段】
【０００４】
本発明者は、商品包装体が離脱落下しにくく、商品包装体の着脱が容易である形状の商品保持片と商品包装体陳列台シートの取付け方法を鋭意研究の結果、商品包装体陳列台シートに設けた特定の形状の係止部及び吊下部よりなる商品保持片を商品包装体の吊下穴に噛み合う状態で固定することによって、上記の課題を解決し得ることを見出し、この知見に基づき本発明を完成するに至った。
すなわち本発明は、
（１）厚手の合成樹脂製シートの所定の位置に、商品保持片の形状に沿って切り込むことにより３〜２０個の商品保持片が設けられ、該商品保持片に略丸型の吊下穴を有する商品包装体を取付ける商品包装体陳列台シートであって、該商品保持片Ａがテープ状の吊下部Ｂと上部中央に該吊下部Ｂの先端部が嵌合する凹部を有する略ハート型形状の係止部Ｃからなり、該吊下部Ｂの上端部Ｄが前記商品包装体陳列台シート本体と連結し、該吊下部Ｂの下端部Ｅに係止部Ｃが延設されてなり、該係止部Ｃが、該係止部Ｃの凹部内側の左右の直線状輪郭１、１'、該直線状輪郭１、１'の上端から上方に湾曲して左右の湾曲輪郭３、３'に至る左右の凸状湾曲輪郭２、２'及び凸状湾曲輪郭２、２'の側端から係止部Ｃの下端に至る左右の湾曲輪郭３、３'によって形成され、前記直線状輪郭１、１'の長さが吊下部Ｂの幅の１.０〜１.６倍であり、係止部Ｃの最大幅が吊下部Ｂの幅の２.５〜３.５倍であり、係止部Ｃの最大幅が商品包装体の吊下穴の直径の１.５〜２.２倍であり、吊下部Ｂの幅が商品包装体の吊下穴の直径の０.４〜０.９５倍である商品保持片が設けられてなることを特徴とする商品包装体陳列台シート、
（２）吊下部Ｂの切込線が吊下部Ｂの上端部Ｄから左右外側に延長されて、上方に湾曲して凸状湾曲状の吊下部延長切込線４、４'を形成してなることを特徴とする第１項記載の商品包装体陳列台シート、
（３）厚手の合成樹脂製シートの所定の位置に、商品保持片の形状に沿って切り込むことにより３〜２０個の商品保持片が設けられ、該商品保持片にトンボ型の吊下穴を有する商品包装体を取付ける商品包装体陳列台シートであって、該商品保持片Ａがテープ状の吊下部Ｂと上部中央に該吊下部Ｂの先端部が嵌合する凹部を有する略ハート型形状の係止部Ｃからなり、該吊下部Ｂの上端部Ｄが前記商品包装体陳列台シート本体と連結し、該吊下部Ｂの下端部Ｅに係止部Ｃが延設されてなり、該係止部Ｃが、該係止部Ｃの凹部内側の左右の直線状輪郭１、１'、該直線状輪郭１、１'の上端から上方に湾曲して左右の湾曲輪郭３、３'に至る左右の凸状湾曲輪郭２、２'及び凸状湾曲輪郭２、２'の側端から係止部Ｃの下端に至る左右の湾曲輪郭３、３'によって形成され、前記直線状輪郭１、１'の長さが吊下部Ｂの幅の１.０〜１.６倍であり、吊下部Ｂの幅がトンボ穴の中央半円弧部の直径の０.５〜１.０倍であり、係止部Ｃの最大幅がトンボ穴の幅の０.７〜１.０倍であることを特徴とする商品包装体陳列台シート、及び
（４）係止部Ｃが、その先端の中央にミシン目線又は切込線を有することを特徴とする第１項、第２項又は第３項記載の商品包装体陳列台シート、
を提供するものである。
【発明の効果】
【０００５】
本発明によれば、多数の商品包装体をまとめて店頭に陳列でき、輸送中又は陳列時に商品包装体が離脱落下しにくい構造でありながら、個別商品包装体の着脱が容易であり、商品包装体の取り外しは単に商品包装体を強く引っ張るのみで行うことができ、しかも、この商品包装体の取り外しによって商品保持片を損傷することなく、商品補充が陳列場所において、繰り返し、まとめて簡単に行うことができ、製作及び使用済み廃却に当って環境負荷を低減することのできる商品包装体陳列台シートを提供することができる。
【発明を実施するための最良の形態】
【０００６】
以下に、図面によって本発明をさらに詳細に説明するが、図面は本発明の一態様を示すものであって、本発明はこれらの図面によって、なんら限定されるものではない。
本発明商品包装体陳列台シートＳは、図２又は図３に示す商品保持片Ａが、図１に示すように厚手の合成樹脂製シートに３〜２０個切り込まれた商品包装体陳列台シートであって、該商品保持片Ａが吊下部Ｂと係止部Ｃからなるものを使用することができる。
本発明に用いる厚手の合成樹脂製シートは、本発明の目的を達成できるものであれば特に制限することなく公知の合成樹脂製の厚手シートを使用することができる。
本発明に用いる合成樹脂製の厚手シートは、熱可塑性合成樹脂製厚手シートを好適に使用することができる。例えば、ポリエチレン、ポリプロピレンなどのポリオレフィン樹脂、ポリエチレンテレフタレートなどのポリエステル樹脂、ポリスチレン樹脂、ポリカーボネート樹脂、ポリ塩化ビニル樹脂、合成紙などの熱可塑性合成樹脂製厚手シートを好適に使用することができる。ポリプロピレン、又は、ポリエチレンテレフタレート樹脂製の厚手シートを特に好適に使用することができる。前記熱可塑性合成樹脂製厚手シートの形状、材質及び厚みは、装着される商品の重量や形状又は本発明商品包装体陳列台シートの外観、意匠性などの必要性に応じて適宜選択することができる。通常の商品包装体陳列用には、厚み８０〜４００μｍの厚手シートを使用することができる。
【０００７】
本発明に用いる商品保持片Ａは、厚手の合成樹脂製の商品包装体陳列台シートＳに３〜２０個、好ましくは５〜１５個切り込まれたものであって、商品包装体に設けた略丸型の吊下穴７又はトンボ穴Ｔに、商品保持片Ａを通して商品包装体６を保持することができる。図２、図３、図４、図５に示すように、本発明に用いる商品保持片Ａは、テープ状の吊下部Ｂと上部中央に該吊下部の先端部が嵌合する凹部を有する略ハート型形状の係止部Ｃより形成されることができる。
本発明に用いる商品保持片Ａは、公知の切込手段によって商品包装体陳列台シートＳに切込んで形成することができる。例えば、トムソン刃又は熱型などを好適に使用することができる。図４に示すように、切込んで形成した商品保持片Ａを引き出すと商品包装体陳列台シートＳに商品保持片抜跡５が生ずる。本発明に用いる商品保持片Ａを使用することにより、商品包装体６を容易に装着でき、輸送中又は陳列時に該商品包装体が離脱落下しにくく、かつ、取り外しは単に該商品包装体を強く引くだけで行うことができ、しかも商品保持片Ａを損傷することなく繰り返し使用することができる。
本発明に用いる商品保持片の吊下部Ｂは、図１、図２、図３に示すように、該吊下部Ｂの上端部Ｄで前記商品包装体陳列台シートＳ本体と連結し、係止部Ｃの凹部内側の左右の直線状輪郭１、１'を形成する切込線によって係止部Ｃと分割され、吊下部Ｂの下端部Ｅで係止部Ｃと連結する吊下部Ｂの幅ｒのテープ状であって、係止部Ｃと商品包装体陳列台シートＳ本体とを連結するとともに、商品包装体の吊下穴を保持し商品包装体の落下を防止することができる。
本発明に用いる商品保持片Ａの吊下部Ｂの上端部Ｄは、テープ状の吊下部Ｂの上端部分であって、本発明商品包装体陳列台シートＳ本体と商品保持片Ａとの連結部分であり、商品包装体６を強く引いて取り外す際に、捩れ方向も含めて全応力が、ここに集中して掛かってくることになるため、これに耐えられる形状と強度が必要である。本発明商品包装体陳列台シートＳ本体の厚手シートの抗張力、せん断力などと関連して選択される厚さ、商品包装体の吊下穴の大きさと関連して選択される吊下部Ｂの幅ｒなどと関連して、吊下部Ｂの上端部Ｄの形状と強度を選択することができる。吊下部Ｂの上端部Ｄにおいて、テープ状吊下部Ｂの上端が、単に吊下部Ｂの両側の直線状切込線の先端で本発明商品包装体陳列台シートＳ本体と連結する場合には、商品包装体を強く引いて取り外す際に、捩れ方向応力が直線状切込線の先端に集中して掛かってくるため亀裂切断しやすくなる。これを防ぐために、前記吊下部Ｂの上端部Ｄでの商品包装体陳列台シートＳ本体との連結部から外側に延長された吊下部延長切込線４、４'が上方に湾曲して凸状湾曲状を形成してなるものを特に好適に使用することができる。連結部から外側に延長された吊下部延長切込線４、４'が上方に湾曲して凸状湾曲状を形成してなることにより、集中応力を分散させ亀裂切断を防止することができる。
【０００８】
本発明に用いる商品保持片Ａの吊下部Ｂと係止部Ｃとの間を切込んで形成される直線状輪郭１、１'は、吊下部の左右両側を形成するとともに、吊下部Ｂと係止部Ｃとをこの部分において分割することができる。
本発明に用いる商品保持片Ａの吊下部Ｂの下端部Ｅは、テープ状の吊下部Ｂの下端部分であって、商品保持片Ａの吊下部Ｂと係止部Ｃとの連結部分であり、吊下部Ｂが延設されて係止部Ｃを結合保持するとともに、商品包装体の吊下穴を係止部Ｃとともに挟み込んで保持し商品包装体の落下を防止することができる。本発明に用いる商品保持片Ａの吊下部Ｂの下端部Ｅは、商品包装体６を強く引いて取り外す際に、係止部Ｃに掛かった捩れ方向も含めて全応力が、ここに集中して掛かってくることになるため、これに耐えられる形状と強度が必要である。
本発明に用いる吊下部Ｂは、前記直線状輪郭１、１'の長さｄが吊下部Ｂの幅ｒの１.０〜１.６倍、好ましくは１.２〜１.４倍であるものを使用することができる。ｄ／ｒが１.０倍未満のものは輸送中又は陳列時に商品包装体が離脱しやすく、１.６倍をこえるものは商品包装体を強く引くだけでの取り外しが困難になる。
【０００９】
本発明に用いる商品保持片の係止部Ｃは、図２及び図３に示すように、該係止部Ｃの凹部内側左右の直線状輪郭１、１'、該直線状輪郭１、１'の上端ａから上方に湾曲してなり該直線状輪郭１、１'の上端とほぼ水平位置にある凸状湾曲輪郭２、２'の側端ｂで左右の湾曲輪郭３、３'に至る左右の凸状湾曲輪郭２、２'及び凸状湾曲輪郭２、２'の前記側端から係止部Ｃの最下端ｃに至る左右の湾曲輪郭３、３'によって形成されることができる。係止部Ｃの両側頂部が上方に湾曲した凸状湾曲輪郭２、２'であることによって、商品包装体６を強く引いて取り外す際に係止部Ｃが損傷するのを防ぐことができる。
本発明に用いる係止部Ｃの直線状輪郭１、１'は、前記吊下部Ｂの下端部Ｅから、左右の凸状湾曲輪郭２、２'が吊下部から分岐する位置、すなわち直線状輪郭１、１'の上端ａ
までの長さｄの左右の直線状輪郭であって、係止部Ｃの凹部内側左右の両側を形成するとともに、吊下部Ｂと係止部Ｃとをこの部分において分割することができる。
本発明に用いる係止部Ｃの左右の凸状湾曲輪郭２、２'は、前記の係止部Ｃの左右直線状輪郭１、１'の上端ａから、ほぼ水平位置にある外側の側端位置、すなわち凸状湾曲輪郭２、２'の側端ｂまで上方に湾曲してなる左右の凸状湾曲輪郭であって、前記側端位置で湾曲輪郭３、３'に接続することができる。
本発明に用いる係止部Ｃの左右の湾曲輪郭３、３'は、前記左右の凸状湾曲輪郭２、２'の側端ｂから係止部Ｃの最下端ｃに至る左右の湾曲輪郭であって、係止部Ｃの両外側及び底部の湾曲輪郭を形成することができ、湾曲輪郭３と湾曲輪郭３'は、係止部Ｃの最下端ｃで接続することができる。
【００１０】
本発明に用いる係止部Ｃは、直線状輪郭１、１'の長さｄが吊下部Ｂの幅ｒの１.０〜１.６倍、好ましくは１.２〜１.４倍であり、係止部Ｃの最大幅Ｌが吊下部Ｂの幅ｒの２.５〜３.５倍、好ましくは２.８〜３.２倍であるものを使用することができる。ｄ／ｒが１.０倍未満のものは輸送中又は陳列時に商品包装体が離脱しやすく、１.６倍をこえるものは商品包装体を強く引くだけでの取り外しが困難になる。Ｌ／ｒが、２.５倍未満のものは輸送中又は陳列時に商品包装体が離脱しやすく、３.５倍をこえるものは商品包装体を強く引くだけでの取り外しが困難になる。本発明に用いる係止部Ｃは、係止部Ｃの最大幅Ｌが商品包装体の吊下穴の直径Ｒ1の１.５〜２.２倍、好ましくは１.６〜２.０倍であるものを使用することができる。Ｌ／Ｒ1が１.５倍未満のものは輸送中又は陳列時に商品包装体が離脱しやすく、２.２倍をこえるものは商品包装体を強く引くだけでの取り外しが困難になる。本発明に用いる係止部Ｃは、吊下部Ｂの幅ｒが商品包装体の吊下穴の直径Ｒ1の０.４〜０.９５倍、好ましくは０.５〜０.８倍であるものを使用することができる。ｒ／Ｒ1が０.４倍未満のものは輸送中又は陳列時に商品包装体が離脱しやすく、０.９５倍をこえるものは商品包装体を強く引くだけでの取り外しが困難になる。
本発明に用いる商品保持片の係止部Ｃは、吊下穴がトンボ型の吊下穴である商品包装体に取付けることができる。商品包装体の吊下穴がトンボ型の吊下穴であることによって、本発明に用いる商品保持片の係止部Ｃを容易に商品包装体の吊下穴に取付けることができる。
本発明に用いる商品保持片の係止部Ｃは、商品包装体の吊下穴が、図８に示すようなトンボ穴Ｔである場合には、係止部Ｃの直線状輪郭１、１'の長さｄが吊下部Ｂの幅ｒの１.０〜１.６倍、好ましくは１.２〜１.４倍であり、吊下部Ｂの幅ｒがトンボ穴の中央半円弧部の直径Ｒ2の０.５〜１.０倍、好ましくは０.６〜０.９倍であり、係止部Ｃの最大幅Ｌがトンボ穴の幅Ｌ1の０.７〜１.０倍、好ましくは０.８〜０.９倍であるものを使用することができる。ｄ／ｒが１.０倍未満のものは輸送中又は陳列時に商品包装体が離脱しやすく、１.６倍をこえるものは商品包装体を強く引くだけでの取り外しが困難になる。ｒ／Ｒ2が０.５倍未満のものは動揺などによって吊下部Ｂが左右に移動しやすく、１.０倍をこえるものはトンボ穴の中央半円弧部から吊下部Ｂが離脱しやすく、Ｌ／Ｌ1が０.７倍未満のものは動揺などによって係止部Ｃが左右に移動しやすく、１.０倍をこえるものは商品包装体を強く引くだけでの取り外しが困難になる。
【００１１】
本発明に用いる係止部Ｃは、図２、図３に示すように、その先端の中央にミシン目線８又は切込線８'を有するものを使用することができる。本発明に用いるミシン目線８又は切込線８'は、これに沿って係止部を折り曲げることによって、係止部Ｃを商品包装体の吊下穴に挿入すること及び商品包装体の取り外しを容易に行うことができる。
前記形状の係止部Ｃを用いることによって、商品包装体を容易に装着でき、係止部Ｃ及び吊下部Ｂが、図５、図６、図７、に示すように、商品包装体の吊下穴７に噛み合う状態で商品包装体を固定することができる。この状態によって固定することにより輸送中や展示中の動揺に際して商品包装体は簡単に離脱落下することなく保持することができ、取り外しは単に商品包装体を強く引くだけで行うことができ、しかも商品保持片Ａの係止部Ｃ及び吊下部Ｂは損傷することなく、繰り返し使用することができる。
本発明商品包装体陳列台シートＳは、図１、図６に示すように、その上部に吊下穴を設けることによって、該商品包装体陳列台シートＳを１枚ずつ別々に店頭掲示フックなどに吊り下げて展示、販売用に使用することができ、また、多数の商品包装体を商品保持片Ａによって吊下げた複数個の商品包装体陳列台シートＳを、面ファスナーなどによって、販売店の展示壁などに取り付けるヘッダー部に装着して、展示、販売用に使用することができる。
【産業上の利用可能性】
【００１２】
本発明によれば、店頭陳列が容易であり、輸送中又は陳列時に商品が離脱落下しにくく、しかも個別商品包装体の取り外しが容易であり、かつ、商品包装体の補充が陳列場所において、繰り返し、まとめて簡単に行うことができ、製作及び使用済み廃却に当って環境負荷を低減することのできる商品包装体陳列台シートを提供することができる。
【図面の簡単な説明】
【００１３】
【図１】本発明の商品包装体陳列台シートの一態様の正面図である。
【図２】係止部先端の中央にミシン目線を有する商品保持片の一態様の正面図である。
【図３】係止部先端の中央に切込線を有する商品保持片の一態様の正面図である。
【図４】商品保持片の拡大斜視図である。
【図５】商品保持片が商品包装体の吊下穴に固定された状態の拡大斜視図である。
【図６】商品包装体を商品保持片に取付けた状態の斜視図である。
【図７】商品包装体を商品保持片に取付けた状態の側断面図である。
【図８】吊下穴がトンボ穴である商品包装体の一態様の正面図である。
【符号の説明】
【００１４】
Ｓ  商品包装体陳列台シート
Ａ  商品保持片
Ｂ  吊下部
Ｃ  係止部
Ｄ  吊下部Ｂの上端部
Ｅ  吊下部Ｂの下端部
ａ  直線状輪郭１、１'の上端
ｂ  凸状湾曲輪郭２、２'の側端
ｃ  係止部Ｃの最下端
１、１'  直線状輪郭
２、２'  凸状湾曲輪郭
３、３'  湾曲輪郭
４、４'  吊下部延長切込線
５  商品保持片抜跡
６  商品包装体
７  商品包装体の吊下穴
８  ミシン目線
８'  切込線
ｄ  直線状輪郭１、１'の長さ
ｒ  吊下部Ｂの幅
Ｌ  係止部Ｃの最大幅
Ｒ1  商品包装体の吊下穴の直径
Ｔ  トンボ穴
Ｌ1  トンボ穴の幅
Ｒ2  トンボ穴の中央半円弧部の直径
【図１】
2005080995.tif 000003
【図２】
2005080995.tif 000004
【図３】
2005080995.tif 000005
【図４】
2005080995.tif 000006
【図５】
2005080995.tif 000007
【図６】
2005080995.tif 000008
【図７】
2005080995.tif 000009
【図８】
2005080995.tif 000010